(57)【要約】【課題】払戻処理を行った際の審査内容について券媒体にかかわらず統一することが可能な券媒体処理装置及び券媒体処理方法を提供することを目的とする。【解決手段】  定期券としての機能を有するＩＣカードに保持された定期券情報に基づいて払戻処理を行い、払戻処理が完了したのに基づきＩＣカードの定期券情報に対応した内容を券面に印刷した代用券を発行する、ことを特徴とする。【選択図】      図２
2006260459.tif 000002
【特許請求の範囲】
【請求項１】
定期券としての機能を有するＩＣカードに保持された定期券情報に基づいて払戻処理を行う払戻手段と、
前記払戻手段による払戻処理が完了したのに基づき、前記ＩＣカードの定期券情報に対応した内容を券面に印刷した代用券を発行する発行手段と、
を備えたことを特徴とする券媒体処理装置。
【請求項２】
定期券としての機能を有するＩＣカードを受け取って前記ＩＣカードを処理するカード処理手段と、
前記カード処理手段により受け取った前記ＩＣカードの定期券情報に基づいて払戻処理を行う払戻手段と、
前記払戻手段による払戻処理が完了したのに基づき、前記ＩＣカードの定期券情報に対応した内容を券面に印刷した代用券を発行する発行手段と、
前記払戻手段による払戻処理が完了したのに基づき、前記カード処理手段を制御して前記ＩＣカードの券面に印刷された内容を書き換えるとともに前記ＩＣカードの定期券情報を書き換えた後に前記ＩＣカードを排出させる制御手段と、
を備えたことを特徴とする券媒体処理装置。
【請求項３】
定期券としての機能を有するＩＣカードを受け取って前記ＩＣカードを処理するカード処理手段と、
定期券としての機能を有する磁気式券媒体を受け取って前記磁気式券媒体を処理するとともに、磁気式券媒体を発行する発行手段を備えた磁気券処理手段と、
前記カード処理手段または前記磁気券処理手段により受け取った券媒体の定期券情報に基づいて払戻処理を行う払戻手段と、
前記払戻手段による払戻処理が完了したのに基づき、払戻処理を行った券媒体がＩＣカードであった場合に、前記磁気券処理手段の発行手段を制御して前記ＩＣカードの定期券情報に対応した内容を券面に印刷した代用券を発行させる制御手段と、
を備えたことを特徴とする券媒体処理装置。
【請求項４】
定期券としての機能を有するＩＣカードを受け取って前記ＩＣカードを処理するカード処理手段と、
定期券としての機能を有する磁気式券媒体を受け取って前記磁気式券媒体を処理するとともに、磁気式券媒体を発行する発行手段を備えた磁気券処理手段と、
前記カード処理手段または前記磁気券処理手段により受け取った券媒体の定期券情報に基づいて払戻処理を行う払戻手段と、
前記払戻手段による払戻処理が完了したのに基づき、払戻処理を行った券媒体がＩＣカードであった場合に、前記磁気券処理手段の発行手段を制御して前記ＩＣカードの定期券情報に対応した内容を券面に印刷した代用券を発行させるとともに、前記カード処理手段を制御して前記ＩＣカードの券面に印刷された内容を書き換えるとともに前記ＩＣカードの定期券情報を書き換えた後に前記ＩＣカードを排出させる制御手段と、
を備えたことを特徴とする券媒体処理装置。
【請求項５】
前記代用券は、磁気式券媒体であることを特徴とする請求項１乃至４のいずれか１項に記載の券媒体処理装置。
【請求項６】
定期券としての機能を有するＩＣカードに保持された定期券情報に基づいて払戻処理を行い、
払戻処理が完了したのに基づき、前記ＩＣカードの定期券情報に対応した内容を券面に印刷した代用券を発行する、
ことを特徴とする券媒体処理方法。
【請求項７】
定期券としての機能を有するＩＣカードを受け取り、
受け取った前記ＩＣカードの定期券情報に基づいて払戻処理を行い、
払戻処理が完了したのに基づき、前記ＩＣカードの定期券情報に対応した内容を券面に印刷した代用券を発行し、
前記ＩＣカードの券面に印刷された内容を書き換えるとともに前記ＩＣカードの定期券情報を書き換えた後に前記ＩＣカードを排出する、
ことを特徴とする券媒体処理方法。
【請求項８】
定期券としての機能を有するＩＣカードまたは定期券としての機能を有する磁気式券媒体を受け取り、
受け取った券媒体の定期券情報に基づいて払戻処理を行い、
払戻処理が完了したのに基づき、払戻処理を行った券媒体がＩＣカードであった場合に、前記ＩＣカードの定期券情報に対応した内容を券面に印刷した代用券を発行する、
ことを特徴とする券媒体処理方法。
【請求項９】
定期券としての機能を有するＩＣカードまたは定期券としての機能を有する磁気式券媒体を受け取り、
受け取った券媒体の定期券情報に基づいて払戻処理を行い、
払戻処理が完了したのに基づき、払戻処理を行った券媒体がＩＣカードであった場合に、前記ＩＣカードの定期券情報に対応した内容を券面に印刷した代用券を発行し、
前記ＩＣカードの券面に印刷された内容を書き換えるとともに前記ＩＣカードの定期券情報を書き換えた後に前記ＩＣカードを排出する、
ことを特徴とする券媒体処理方法。
【発明の詳細な説明】
【技術分野】
【０００１】
この発明は、券媒体処理装置及び券類処理方法に係り、特に、定期券としての機能を有するＩＣカードの払い戻し処理を行う券媒体処理装置及び券類処理方法に関する。
【背景技術】
【０００２】
従来、券媒体処理装置として、磁気式券媒体からなる定期券に加えて、プリペイドカードとしての機能のほかに定期券としての機能を有するＩＣカード（すなわち無線通信可能な券媒体）を発行する定期券発行機が導入されている。このような定期券発行機においては、発行済みの磁気式券媒体やＩＣカードなどの券媒体を受け取って払戻処理を行うことも可能である（例えば、特許文献１参照。）。
【特許文献１】特開２００４−１８５２９４号公報
【発明の開示】
【発明が解決しようとする課題】
【０００３】
磁気式券媒体の払戻処理においては、定期券発行機に投入された券媒体から定期券情報が読み取られ、払戻が可能であれば払戻金額が算出され、利用者に払戻金額を返却する一方で、投入された券媒体は、必要に応じてパンチ処理が施され、定期券発行機の機体内に回収される。
【０００４】
ＩＣカードの払戻処理においては、定期券発行機に投入されたＩＣカードから定期券情報が読み取られ、払戻が可能であれば払戻金額が算出され、利用者に払戻金額を返却する。しかしながら、ＩＣカードの場合、プリペイドカードとして利用可能であり、また、券面の印刷内容や定期券情報を書き換えることにより再利用可能であることなどの理由により、必ずしも払戻処理を行ったＩＣカードを回収できるとは限らない。
【０００５】
このため、券媒体の払戻処理を行った後に、券媒体の発行元で払戻結果を審査する際、磁気式券媒体については払戻処理を行った原券（回収した磁気式券媒体）が証拠となって照合可能であるが、ＩＣカードについては払戻処理を行った原券が発行元に残らないため、原券に基づいた照合を行うことができない。
【０００６】
つまり、磁気式券媒体とＩＣカードとでは、払戻処理を行った場合の審査内容に著しい差異が生ずる。このため、審査に要する作業が煩雑化し、審査効率の低下を招くおそれがある。
【０００７】
この発明は、上述した問題点に鑑みなされたものであって、その目的は、払戻処理を行った際の審査内容について券媒体にかかわらず統一することが可能な券媒体処理装置及び券媒体処理方法を提供することにある。
【課題を解決するための手段】
【０００８】
この発明の第１の態様による券媒体処理装置は、
定期券としての機能を有するＩＣカードに保持された定期券情報に基づいて払戻処理を行う払戻手段と、
前記払戻手段による払戻処理が完了したのに基づき、前記ＩＣカードの定期券情報に対応した内容を券面に印刷した代用券を発行する発行手段と、
を備えたことを特徴とする。
【０００９】
この発明の第２の態様による券媒体処理装置は、
定期券としての機能を有するＩＣカードを受け取って前記ＩＣカードを処理するカード処理手段と、
前記カード処理手段により受け取った前記ＩＣカードの定期券情報に基づいて払戻処理を行う払戻手段と、
前記払戻手段による払戻処理が完了したのに基づき、前記ＩＣカードの定期券情報に対応した内容を券面に印刷した代用券を発行する発行手段と、
前記払戻手段による払戻処理が完了したのに基づき、前記カード処理手段を制御して前記ＩＣカードの券面に印刷された内容を書き換えるとともに前記ＩＣカードの定期券情報を書き換えた後に前記ＩＣカードを排出させる制御手段と、
を備えたことを特徴とする。
【００１０】
この発明の第３の態様による券媒体処理方法は、
定期券としての機能を有するＩＣカードに保持された定期券情報に基づいて払戻処理を行い、
払戻処理が完了したのに基づき、前記ＩＣカードの定期券情報に対応した内容を券面に印刷した代用券を発行する、
ことを特徴とする。
【００１１】
この発明の第４の態様による券媒体処理方法は、
定期券としての機能を有するＩＣカードを受け取り、
受け取った前記ＩＣカードの定期券情報に基づいて払戻処理を行い、
払戻処理が完了したのに基づき、前記ＩＣカードの定期券情報に対応した内容を券面に印刷した代用券を発行し、
前記ＩＣカードの券面に印刷された内容を書き換えるとともに前記ＩＣカードの定期券情報を書き換えた後に前記ＩＣカードを排出する、
ことを特徴とする。
【発明の効果】
【００１２】
この発明によれば、払戻処理を行った際の審査内容について券媒体にかかわらず統一することが可能な券媒体処理装置及び券媒体処理方法を提供することができる。
【発明を実施するための最良の形態】
【００１３】
以下、この発明の一実施の形態に係る券媒体処理装置及び券媒体処理方法について図面を参照して説明する。ここで説明する券媒体処理装置は、定期券としての機能を有する各種券媒体すなわち磁気式券媒体及びＩＣカード（すなわち無線通信可能な無線式券媒体）の発行処理が可能であるとともに、発行済みの券媒体（原券）を受け取って未使用分の払戻処理が可能である。以下に示す実施の形態では、券媒体処理装置として定期券発行機を例に説明する。
【００１４】
図１に示すように、定期券発行機は、装置全体を制御する制御手段として機能するとともに払戻処理に必要な各機構を制御して払戻処理を行う払戻手段として機能するＣＰＵ１０を有している。このＣＰＵ１０には、メモリ部１１、入力部１２、係員表示部１３、利用者用表示部１４、カード処理手段として機能するカード処理部１５、磁気券処理手段として機能する磁気券処理部１６、ジャーナルプリンタ１７、レシートプリンタ１８などが接続されている。
【００１５】
メモリ部１１は、定期券発行機を制御するための制御データなどの各種データを記憶している。また、メモリ部１１には、払戻処理を行った際の払戻記録すなわち原券券種（大／小、通学／通勤、割引／一般）、原券有効期間、原券有効区間、原券発行日、払い戻し種別、券番号、払い戻し金額等のデータが記憶される。
【００１６】
入力部１２は、定期券発行機の動作モードや、券媒体の発行条件及び券媒体の払戻条件すなわち月割、旬割、日割、全額など種々の情報を入力するためのキーボードや、接触を検知したのに基づいて対応する情報を出力するタッチパネルなどを有している。
【００１７】
係員表示部１３は、定期券発行機の動作状態や、券媒体の発行処理を行った際の発行条件及び券媒体の払戻処理を行った際の払戻条件などを表示する。利用者用表示部１４は、券媒体の発行処理に必要な支払い金額や券媒体の払戻処理による払戻金額などを表示する。
【００１８】
カード処理部１５は、発行済みのＩＣカードを投入するための投入口及びＩＣカードを排出する排出口を備え、投入されたＩＣカードを受け取ってＩＣカードを処理する。また、このカード処理部１５は、定期券及びプリペイドカードの少なくとも一方の機能を有するＩＣカードを新たに発行するカード発行部１５Ａを備えている。
【００１９】
すなわち、カード処理部１５は、受け取ったＩＣカードからＩＣカードに保持された各種券情報を読み取る機能を有している。また、カード処理部１５は、受け取ったＩＣカードや新たに発行するＩＣカードに対して、必要に応じて所定情報を書き込み、また、必要に応じてＩＣカードの券面に印刷された内容を消去したり新たに所定内容を印刷したりする機能を有している。ＩＣカードに保持される券情報としては、例えば、定期券として機能させるための定期券情報、プリペイドカードとして機能させるためのプリペイド情報などが含まれる。定期券情報は、券種に関する情報の他、利用者に関する情報、発行日に関する情報、有効期間に関する情報、有効区間に関する情報などを含んでいる。
【００２０】
磁気券処理部１６は、発行済みの磁気式券媒体を投入するための投入口を備え、投入された磁気式券媒体を受け取って磁気式券媒体を処理する。また、この磁気券処理部１６は、定期券としての機能を有する磁気式券媒体の他に、後述する代用券を新たに発行する発行手段として機能する磁気券発行部１６Ａを備えている。
【００２１】
すなわち、磁気券処理部１６は、受け取った磁気式券媒体から各種券情報を読み取る機能を有している。また、磁気券処理部１６は、受け取った磁気式券媒体や新たに発行する磁気式券媒体に対して、必要に応じて所定情報を書き込み、また、必要に応じて磁気式券媒体の券面に所定内容を印刷する機能を有している。磁気式券媒体に保持される券情報としては、例えば、定期券として機能させるための定期券情報などが含まれる。定期券情報は、券種に関する情報の他、利用者に関する情報、発行日に関する情報、有効期間に関する情報、有効区間に関する情報などを含んでいる。
【００２２】
ジャーナルプリンタ１７は、券媒体の発行記録や売り上げ記録などの他に、払戻処理を行った際の払戻記録すなわち原券番号、払戻金額、手数料などのジャーナルデータをジャーナル用紙に印刷する。レシートプリンタ１８は、券媒体の発行処理や払戻処理に基づくレシートを発行する。
【００２３】
次に、上述した定期券発行機に適用可能な払戻処理を含む券媒体処理方法について説明する。
【００２４】
図２に示すように、ＣＰＵ１０は、払戻処理を行う旨の設定後、カード処理部１５または磁気券処理部１６を介してそれぞれの投入口から券媒体の投入を受け付けたか否かを判断する（ＳＴ１１）。ＣＰＵ１０は、券媒体の投入を受け付けたと判断したのに基づいて（ＳＴ１１、Ｙ）、払戻処理を行う（ＳＴ１２）。
【００２５】
すなわち、ＣＰＵ１０は、カード処理部１５または磁気券処理部１６を制御して、受け取った券媒体（原券）に保持された定期券情報を読み取り、読み取った定期券情報に基づいて払戻処理が可能か否かを判断するとともに、必要な情報を係員表示部１３に表示させる。そして、ＣＰＵ１０は、払戻処理が不可能との判断に基づき受け取った券媒体を排出する一方で、払戻処理が可能との判断に基づき、月割、旬割、日割、全額などの払戻条件の選択を受け付ける。そして、ＣＰＵ１０は、入力部１２を介した払戻条件の選択を受け付けたのに基づいて、払戻金額を算出する。そして、ＣＰＵ１０は、算出した結果（払戻金額）を係員表示部１３及び利用者用表示部１４に表示させる。そして、ＣＰＵ１０は、入力部１２を介して払戻処理の実行を指示するスタートボタンの押下を検知したのに基づいて、払戻処理を完了する。
【００２６】
そして、ＣＰＵ１０は、払戻処理が完了したとの判断に基づいて（ＳＴ１３、Ｙ）、メモリ部１１に１件明細データとして払戻記録すなわち原券券種（大／小、通学／通勤、割引／一般）、原券有効期間、原券有効区間、原券発行日、払い戻し種別、券番号、払い戻し金額等のデータを記憶するとともに（ＳＴ１４）、ジャーナルプリンタ１７を制御して払戻記録すなわち原券番号、払戻金額、手数料などをジャーナルデータとしてジャーナル用紙に印刷する（ＳＴ１５）。
【００２７】
そして、ＣＰＵ１０は、受け取った原券に対して必要な処理を施す。すなわち、ＣＰＵ１０は、受け取った原券が磁気式券媒体である場合には（ＳＴ１６、Ｎ）、定期券発行機の機体内に設けられた所定の回収部に原券を回収する（ＳＴ１７）。なお、磁気式券媒体を回収する際に、必要に応じてパンチ処理を施し、定期券情報などの磁気情報が記録された部分を欠損させても良い。
【００２８】
また、ＣＰＵ１０は、受け取った原券がＩＣカードである場合には（ＳＴ１６、Ｙ）、原券に対して所定の処理を施す（ＳＴ１８）。すなわち、ＣＰＵ１０は、カード処理部１５を制御して受け取ったＩＣカードの券面に印刷された内容を書き換えるとともに、ＩＣカードの定期券情報を書き換える。より具体的には、ＣＰＵ１０は、払戻処理を行った定期券に関する情報（券種、有効期間、有効区間などの情報）を券面から消去するとともに、定期券として利用不能とするように定期券情報に所定の処理（例えば定期券情報の消去）を施す。
【００２９】
そして、ＣＰＵ１０は、払戻処理を行ったＩＣカードの定期券情報に対応した内容を券面に印刷した代用券を発行する（ＳＴ１９）。すなわち、ＣＰＵ１０は、磁気券処理部１６に含まれる磁気券発行部１６Ａを制御して、磁気式券媒体の原紙の券面に、払戻対象のＩＣカードから読み取った定期券情報と同等の所定情報すなわち券種、利用開始日及び終了日、有効期間、有効区間、発行日、発売額、券番号などの情報の他に利用者に関する情報を印刷する。また、ＣＰＵ１０は、原紙の券面に代用券である旨を印刷するとともに、係員が代用券であることを認識しやすいよう所定の絵柄（例えば星型）を印刷しても良い。図３に、代用券の券面の印刷フォーマットの一例を示す。ＣＰＵ１０は、このような印刷フォーマットで原紙の券面への印刷処理を行うことで、代用券としての発行処理を終了する。なお、この代用券に対して、磁気情報の書き込みは行なわない。また、発行した代用券は、磁気式券媒体の場合と同様に、定期券発行機の機体内に設けられた所定の回収部に回収しても良いし、機体外に排出しても良い。
【００３０】
続いて、ＣＰＵ１０は、代用券の発行が終了したのに基づいて、受け取ったＩＣカード（原券）を排出口から排出する。これにより、払戻処理を行った後のＩＣカードは、利用者に返却可能となる。以上の工程で、一連の券媒体処理を終了する。
【００３１】
上述したように、同一の券媒体処理装置により、定期券としての機能を有する磁気式券媒体及びＩＣカードの払戻処理が可能となる。また、磁気式定期券の払戻処理を行った場合には原券を回収する一方で、ＩＣカードの払戻処理を行った場合には原券と同等の内容を券面に印刷した代用券を発行し、定期券の発行処理を行う（または定期券の払戻処理を行う）発行元に原券に代わる代用券が残る。このため、払戻結果を審査する際、券媒体の種別にかかわらず、原券あるいは原券に代わる代用券に基づいて払戻処理の照合が可能となる。つまり、ＩＣカードであっても磁気式券媒体であっても、払戻処理を行った場合の審査内容を同等とすることができる。
【００３２】
また、代用券は、定期券としての機能を有した磁気式券媒体を発行する磁気券処理部により発行可能であるため、代用券を発行するための専用の発行機を搭載する必要がなく、既存の構成を利用可能であり、装置の大幅なコストアップを抑制できる。また、磁気式券媒体を払戻処理した場合に原券として磁気式券媒体が回収され、ＩＣカードを払戻処理した場合には原券に代わる磁気式券媒体からなる代用券が発行元に発行されるため、審査の対象となる媒体が統一され、発行元ならびに審査部門での取り扱いが容易にできる。つまり、審査に要する作業を簡素化することができ、審査効率の向上を図ることが可能となる。
【００３３】
さらに、ＩＣカードを払戻処理した際に原券に代わる代用券にエンコードを行なわないため、審査以外の目的に誤用ならびに悪用されるおそれがない。
【００３４】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３５】
【図１】図１は、この発明の一実施の形態に係る券媒体処理装置（定期券発行機）の構成を概略的に示す図である。
【図２】図２は、図１に示した券媒体処理装置に適用可能な券媒体処理方法を説明するためのフローチャートである。
【図３】図３は、図１に示した券媒体処理装置によって発行される代用券の券面印刷フォーマットの一例を示す図である。
【符号の説明】
【００３６】
１０…ＣＰＵ、１１…メモリ部、１２…入力部、１３…係員表示部、１４…利用者用表示部、１５…カード処理部、１６…磁気券処理部、１６Ａ…磁気券発行部、１７…ジャーナルプリンタ、１８…レシートプリンタ
【図１】
2006260459.tif 000003
【図２】
2006260459.tif 000004
【図３】
2006260459.tif 000005